(57)【要約】【課題】簡単な構造で特定周波数の電磁波を確実に遮蔽することができる電磁波吸収体を提供する。【解決手段】金属箔１２の面上に仮想した一つの対称軸１３あるいは直交対称軸に対して線対称に、一つの頂点同士を相対向させた２個又は４個一組の三角形状の打ち抜き部１４を形成することにより、打ち抜いた部分の周りにスロット型ボウタイのアンテナ素子１５を形成する。アンテナ素子１５の給電点同士は短絡状態であってもよく、開放状態であってもよい。【選択図】図１
2011151047.tif 000002
【特許請求の範囲】
【請求項１】
金属箔の面上に仮想した一つの対称軸に対して線対称に、一つの頂点同士を相対向させた２個一組の三角形状の打ち抜き部を形成したことを特徴とする電磁波吸収体。
【請求項２】
前記２個一組の三角形状の打ち抜き部の頂点同士が離間していることを特徴とする請求項１記載の電磁波吸収体。
【請求項３】
前記２個一組の三角形状の打ち抜き部の頂点同士が接続していることを特徴とする請求項１記載の電磁波吸収体。
【請求項４】
前記２個一組の三角形状の打ち抜き部が１枚の金属箔に複数組み形成されている請求項１乃至３のいずれか１項記載の電磁波吸収体。
【請求項５】
前記２個一組の三角形状の打ち抜き部を形成した複数枚の金属箔を、絶縁物を介して前記対称軸を交叉させた状態で重ね合わせたことを特徴とする請求項１乃至４のいずれか１項記載の電磁波吸収体。
【請求項６】
金属箔の面上に仮想した直交対称軸のそれぞれに対して線対称に、一つの頂点を直交対称軸の交点に向けた４個一組の三角形状の打ち抜き部を形成したことを特徴とする電磁波吸収体。
【請求項７】
前記４個一組の三角形状の打ち抜き部の頂点同士が離間していることを特徴とする請求項５記載の電磁波吸収体。
【請求項８】
前記４個一組の三角形状の打ち抜き部の頂点同士が接続していることを特徴とする請求項５記載の電磁波吸収体。
【請求項９】
前記４個一組の三角形状の打ち抜き部が１枚の金属箔に複数組み形成されていることを特徴とする請求項５乃至８のいずれか１項記載の電磁波吸収体。
【発明の詳細な説明】
【技術分野】
【０００１】
本発明は、電磁波吸収体に関し、詳しくは、各種電磁波から人体を保護したり、外部から室内への電磁波の入射や室内から外部への電磁波の放射を抑制するための電磁波吸収体に関する。
【背景技術】
【０００２】
電磁波を遮蔽又は遮断するため、導電性の材料で被遮蔽物を覆うことが行われている。導電性の材料が銅やアルミ等の反磁性物質である場合、電界に対する鏡像効果も加わり、磁界、電界共に反発される。このように導電性の材料を使う遮蔽では、電磁波は、遮蔽物を迂回して裏側にまわりこんでしまうため、特に被遮蔽物が人体のように誘電率の大きな場合には電磁波が遮蔽物裏面に誘導され、遮蔽効果は低下する。したがって、導電性の材料で効果的な遮蔽を行うには、隙間のない構造が必要であり、実現は難しい。一方、導電性の材料が強磁性体の場合は、広い周波数範囲で電磁波吸収してしまうため、無線ＬＡＮ等の通信に必要な周波数の電磁波も吸収されて通信障害を起こすことがある。
【０００３】
また、電磁波を遮蔽するため、Frequency Selective Surface（周波数選択面：ＦＳＳ）を用いることも行われている。この方式は、到来電磁波の波長に応じた特有の形状の導電体（アンテナ素子）を多数配列したもので、特定周波数の電磁波のみを反射又は透過させる機能を有しており、アンテナ素子の形状や配列周期を選択することにより、不要な電磁波がＦＳＳの裏面に達することを防止できる。しかし、銅やアルミなどの導電性の材料を用いたり、ＦＳＳ方式を用いたりして電磁波を遮蔽する方式では、導電材料やＦＳＳのアンテナ素子が欠損すると、その部分から電磁波が漏洩するという問題がある。
【０００４】
また、給電点をアンテナの特性インピーダンスと同値の純抵抗で短絡し、アンテナの共振周波数に等しい到来電波を受信して到来電波のエネルギーを熱に変換することによって電磁波を遮蔽することも行われている。例えば、携帯電話や電子レンジ、パソコン等の電子機器から放出される電磁波から人体や人体に埋め込まれた心臓ペースメーカー等の機器を防護するため、電磁波により共振して高周波電流を発生する受信アンテナと、該受信アンテナで発生した高周波電流を熱エネルギーに変換する負荷抵抗とを装着した電磁波防護衣服が知られている（例えば、特許文献１参照。）。
【特許文献１】特開２００５−４２２２３号公報
【発明の開示】
【発明が解決しようとする課題】
【０００５】
特許文献１に記載された電磁波防護衣服のような方式は、電磁波の遮蔽には効果的であるが、アンテナの給電点に電磁波のエネルギーを消費する抵抗が必要であり、製造工程が複雑になり、コスト上昇を招くという問題があった。
【０００６】
そこで本発明は、簡単な構造で特定周波数の電磁波を確実に遮蔽することができる電磁波吸収体を提供することを目的としている。
【課題を解決するための手段】
【０００７】
上記目的を達成するため、本発明の電磁波吸収体は、第１の構成として、金属箔の面上に仮想した一つの対称軸に対して線対称に、一つの頂点同士を相対向させた２個一組の三角形状の打ち抜き部を形成することにより、打ち抜いた部分の周りにスロット型ボウタイのアンテナ素子を形成したことを特徴としている。
【０００８】
この第１の構成の電磁波吸収体において、前記２個一組の三角形状の打ち抜き部の頂点同士が離間してアンテナ素子の給電点が短絡状態となっていてもよく、前記２個一組の三角形状の打ち抜き部の頂点同士が接続してアンテナ素子の給電点が開放状態となっていてもよい。さらに、前記２個一組の三角形状の打ち抜き部が１枚の金属箔に複数組み形成することができ、前記２個一組の三角形状の打ち抜き部を形成した複数枚の金属箔を絶縁物を介して前記対称軸を交叉させた状態で重ね合わせることもできる。
【０００９】
また、本発明の電磁波吸収体の第２の構成は、金属箔の面上に仮想した直交対称軸のそれぞれに対して線対称に、一つの頂点を直交対称軸の交点に向けた４個一組の三角形状の打ち抜き部を形成することにより、打ち抜いた部分の周りにスロット型ボウタイのアンテナ素子を直交させた状態で形成したことを特徴としている。さらに、第２の構成の電磁波吸収体においても、前記４個一組の三角形状の打ち抜き部の頂点同士が離間してアンテナ素子の給電点が短絡状態となっていてもよく、前記４個一組の三角形状の打ち抜き部の頂点同士が接続してアンテナ素子の給電点が開放状態となっていてもよい。また、前記４個一組の三角形状の打ち抜き部を１枚の金属箔に複数組み形成することもでき、前記４個一組の三角形状の打ち抜き部を形成した複数枚の金属箔を絶縁物を介して重ね合わせることもできる。
【００１０】
第１，第２の構成の電磁波吸収体における金属箔には、銅箔、アルミ箔などの反磁性物質の導電性材料を使用することが好ましい。金属箔の厚さは、電磁波吸収体の用途や全体の大きさによって異なるが、０．１〜５０μｍの範囲が適当であり、薄すぎると取り扱い性が低下し、厚すぎると重量増を招くため好ましくない。
【発明の効果】
【００１１】
本発明の電磁波吸収体によれば、金属箔を所定形状に打ち抜くだけで２個一組又は４個一組のスロット型ボウタイのアンテナ素子を形成することができるので、製造工程が簡略化して大量生産が可能となり、製造コストの低減も図れる。各アンテナ素子の形状と大きさとを適切に設定することにより、各アンテナ素子が特定周波数に共振し、電磁波を吸収して遮蔽することができる。
【発明を実施するための最良の形態】
【００１２】
図１は本発明の電磁波吸収体の第１形態例を示す説明図である。この電磁波吸収体１１は、電磁波吸収構造の基本形状として、金属箔１２の面上に仮想した一つの対称軸１３に対して線対称に、頂点１４ａ同士を相対向させた２個一組の三角形状の一態様である水滴型の打ち抜き部１４，１４を形成することにより、打ち抜いた部分の周りにスロット型ボウタイのアンテナ素子１５，１５を、その給電点が短絡状態になるように形成したものである。このような構造の電磁波吸収体１１は、通常は、アンテナには電磁波と共振するために特性インピーダンスにあわせた抵抗が必要であるが、アンテナ素子１５の形状と大きさとを、遮蔽すべき電磁波の周波数に合わせて適切に設定することにより、給電点に抵抗を設けなくても特定周波数に共振して電磁波を吸収することができる。
【００１３】
図２は本発明の電磁波吸収体の第２形態例を示す説明図である。なお、以下の各形態例の説明において、前記第１形態例に示した電磁波吸収体の構成要素と同一の構成要素には同一の符号を付して詳細な説明は省略する。
【００１４】
本形態例に示す電磁波吸収体２１は、前記第１形態例と同様に、金属箔１２の対称軸１３に対して２個一組の水滴型の打ち抜き部１４，１４を線対称に形成し、頂点１４ａ同士を接続させて打ち抜くことにより、アンテナ素子１５，１５の給電点を開放状態としている。このような構造の電磁波吸収体２１は、ボウタイの長手方向の偏波に対して吸収特性を有している。
【００１５】
図３は本発明の電磁波吸収体の第３形態例を示す説明図である。本形態例に示す電磁波吸収体３１は、前記第２形態例に示した頂点１４ａ同士を接続させた２個一組の打ち抜き部１４，１４を対称軸１３に沿って並列に形成することにより、給電点を開放状態としたアンテナ素子１５，１５を並列に複数組み配置したものである。このように開放型のアンテナを２個並列に並べることにより、有効周波数帯域は狭くなるが、周波数特性のＱ値が大きくなり、電磁波吸収能力を高くすることができる。
【００１６】
図４は本発明の電磁波吸収体の第４形態例を示す説明図である。本形態例に示す電磁波吸収体４１は、前記第３形態例に示した電磁波吸収体３１を、シート状の絶縁物を介して２枚を重ね合わせたものであって、２枚の電磁波吸収体３１の各対称軸１３を直交させることにより、電磁波の偏波面にかかわらず電磁波を吸収することができる。
【００１７】
図５は本発明の電磁波吸収体の第５形態例を示す説明図である。本形態例に示す電磁波吸収体５１は、金属箔１２の面上に仮想した直交対称軸１３Ｘ，１３Ｙのそれぞれに対して線対称になるように、すなわち、平面上のＸＹ直交座標における第１〜第４の各象限内に一つずつの水滴型の打ち抜き部１４を、各打ち抜き部１４の頂点１４ａを直交対称軸１３Ｘ，１３Ｙの交点に向けてそれぞれ形成することにより、四つ葉のクローバー状の４個一組の打ち抜き部１４，１４の周りにスロット型ボウタイのアンテナ素子１５，１５を直角方向に二組形成したものである。このように１枚の金属箔１２に二組のボウタイ型アンテナを直角に交叉するように形成することによっても、前記第４形態例と同様に、電磁波の偏波面にかかわらず電磁波を吸収することができる。
【００１８】
図６は本発明の電磁波吸収体の第６形態例を示す説明図である。本形態例に示す電磁波吸収体６１は、前記第５形態例に示した電磁波吸収体５１では各打ち抜き部１４の頂点１４ａ同士を離間させて給電点を短絡状態としているのに対し、頂点１４ａ同士を接続させることによって各給電点を開放状態としている。
【００１９】
図７は本発明の電磁波吸収体の第７形態例を示す説明図である。本形態例に示す電磁波吸収体７１は、前記第５形態例に示した頂点１４ａ同士を接続させた４個一組の打ち抜き部１４，１４により形成したアンテナ素子１５，１５からなるアンテナ１６を１枚の金属箔１２に多数配列したものである。このように多数のボウタイ型アンテナを配列することにより、電磁波の吸収帯域は狭くなるが、電磁波の吸収性を強くすることができる。
【００２０】
このような各形態例に示すようなボウタイ型のアンテナは、通常は電磁波の送受信を行うための電子部品として、その給電点インピーダンスに合わせて整合を取った電子機器を接続して使用されている。しかし、このようなアンテナを電磁波の吸収部品として使用する場合には、この概念は不要となり、さらに、このような広い周波数特性を持つアンテナ構造では、給電点インピーダンスの整合条件がゆるくなり、給電点に抵抗を付加することなく、短絡状態でも、開放状態でも、それぞれの周波数帯で、電磁波吸収体としての機能を持たせることができる。
【００２１】
また、従来の前記導電性の材料は到来した電磁波を反射することにより、前記ＦＳＳ方式は到来した電磁波の位相を逆転させて反射させることにより、それぞれ遮蔽効果を得ているため、電磁波を十分に遮蔽するためには広い面積を必要とするのに対し、本発明の電磁波吸収体では、電磁波を反射するのではなく、アンテナによって電磁波を窮するするため、アンテナと同じ大きさ程度の狭い面積でも電磁波を部分的に十分に遮蔽することができる。特に、反射方式ではなく吸収方式であるから、アンテナ配置に欠損が生じても、その部分から電磁波が漏洩する量が少ないという効果もある。
【００２２】
各打ち抜き部１４の大きさ、すなわちボウタイ型形状の大きさは、対象とする電磁波の周波数によって設定されるもので、金属箔１２の厚さは、表皮効果の顕著な１．５ＧＨｚ以上では１μｍ以下にすることができる。例えば、図５の第５形態例に示した形状のものでは、１ＧＨｚ用で、金属箔１２（銅箔）の厚さは１８μｍ、ボウタイの長手方向は５５ｍｍ程度、横手方向は３０ｍｍ程度である。２組のボウタイを角度９０度で配置することで、垂直偏波と水平偏波、あるいはその中間の偏波角度でも電磁波吸収を効果的に行うことができ、前述の大きさでの電磁波吸収力は、８００ＭＨｚ〜１．２ＧＨｚで３０ｄＢｍの減衰能力を有している。
【００２３】
そして、このような電磁波吸収体を、電磁波からの遮蔽を要する部屋の壁や物体、あるいは人体の場合は衣服等に貼り付けることにより、電磁波からの影響を減じることができる。また、ボウタイの形状と大きさ及び周囲の金属の大きさを選ぶことにより、電磁波の吸収周波数を選択し、有用な周波数の電磁波は通過させることができ、無線ＬＡＮ等における通信障害の発生を防止できる。例えば、２．５ＧＨｚを中心とした電磁波吸収特性を有する電磁波吸収体を、壁、天井、床に並べて貼り付けることにより、携帯電話の通信は可能なままで、無線ＬＡＮの２．５ＧＨｚ帯域だけを選択的に吸収してコンピュータ情報の盗聴を防ぐことができ、あるいは、近隣からの電磁波による無線ＬＡＮの妨害や混信を防ぐことができる。逆に、劇場やホール、病院の待合室や診察室、学校等、携帯電話の使用が禁止されている建物の場合には、携帯電話の制御周波数帯域を遮断して携帯電話の使用を不可能にすることもできる。
【００２４】
さらに、図７の第７形態例に示す電磁波吸収体は、開放型の直交ボウタイアンテナを平面に敷き詰めたアンテナ素子であり、いわゆるアレイアンテナである。このような形状の電磁波吸収体を防火用建材の２枚のプラスターボードの間に挟み込み、接着あるいはステープラーで固定して１枚のボードとして取り扱えるようにすることにより、従来と同じ工法で電磁波吸収特性を有する壁を施工することができる。また、このような電磁波吸収体を壁紙を貼る下地として用いることもでき、改装工事に使用する場合は、ボードの裏面に電磁波吸収体を貼り、これを既設のボードの上に被せてから化粧の壁紙を貼るようにすることもできる。
【００２５】
また、第１乃至第６形態例に示す電磁波吸収体を多数配列する場合や、第７形態例に示すように１枚の金属箔に多数のアンテナを配列する場合は、隣り合うアンテナ同士の距離を短くすることで、いわゆるアレイアンテナの特性を強く出せる。このことから、隣接するアンテナ同士の間隔を狭くすることにより、吸収する周波数帯域幅は狭くなるが、電磁波の吸収量を増やすことができる。したがって、電磁波吸収体の間隔を調整することで、電磁波吸収体を並べた壁面を透過する電磁波の透過特性を制御することができ、例えば、前記同様に、無線ＬＡＮの２．５ＧＨｚ帯域だけを吸収して室内からの信号電波の漏洩を防ぎ、携帯電話等の電波を透過させることができる。さらに、アンテナの大きさや形状を選択して吸収周波数特性が異なる電磁波吸収体を複数使用することで、複数の周波数帯域や、より広い周波数帯域での電磁波吸収特性を持たせることができる。
【００２６】
また、基材が金属箔であるから、電磁波吸収体を薄く、また、軽く形成することができるので、身体に付けて身体への電磁波の影響を低減することができる。
【００２７】
なお、打ち抜き部の形状は、各形態例に示したように、給電点を一つの頂点とし、他の二つの頂点とその間の一辺とを円弧状とした水滴型の三角形状に限らず、ボウタイ型のアンテナを構成できれば任意の三角形状で形成することができる。また、金属箔の外側の形状も、正方形や長方形、これらの各角部をカットしたもの、各辺を含めて各角部を円弧状としたものなど、任意に選択することができる。
【図面の簡単な説明】
【００２８】
【図１】本発明の電磁波吸収体の第１形態例を示す説明図である。
【図２】本発明の電磁波吸収体の第２形態例を示す説明図である。
【図３】本発明の電磁波吸収体の第３形態例を示す説明図である。
【図４】本発明の電磁波吸収体の第４形態例を示す説明図である。
【図５】本発明の電磁波吸収体の第５形態例を示す説明図である。
【図６】本発明の電磁波吸収体の第６形態例を示す説明図である。
【図７】本発明の電磁波吸収体の第７形態例を示す説明図である。
【符号の説明】
【００２９】
１１，２１，３１，４１，５１，６１，７１…電磁波吸収体、１２…金属箔、１３…対称軸、１３Ｘ，１３Ｙ…直交対称軸、１４…打ち抜き部、１４ａ…頂点、１５…アンテナ素子、１６…アンテナ
【図１】
2011151047.tif 000003
【図２】
2011151047.tif 000004
【図３】
2011151047.tif 000005
【図４】
2011151047.tif 000006
【図５】
2011151047.tif 000007
【図６】
2011151047.tif 000008
【図７】
2011151047.tif 000009